(57)【要約】【課題】対極ＡＣライン反転駆動方式とＳＣ反転駆動方式とが切換可能なアクティブマトリクス型液晶表示装置を提供する。【解決手段】モード制御回路９０は、モード切換信号ＭＤをハイレベルに設定することにより第１のモード（補助容量ライン反転駆動モード）が選択された時に、ＳＣ反転駆動回路７０を動作させ、モード切換信号ＭＤをロウレベルに設定することにより第２のモード（対極ＡＣライン反転駆動）が選択された時に、ＳＣ反転駆動回路７０を停止させると共に、第１及び第２の補助容量ライン６１−１，６２−１，・・・に対して対向電極１３に印加される交流電位Ｖｃｏｍ（ＡＣ）を印加させるように制御する。【選択図】  図１
2007140191.tif 000002
【特許請求の範囲】
【請求項１】
行列状に配置された複数の画素から成る表示領域と、
前記複数の画素毎に配置された画素電極と、
前記画素電極と対向電極の間に封入された液晶と、
前記画素電極それぞれに接続され、ゲート信号に応じてスイッチングするスイッチング素子と、
前記ゲート信号を垂直クロックに基づいて出力する垂直駆動回路と、
各行の画素に対応して配置された第１及び第２の補助容量ラインと、
所定の周期で第１及び第２の補助容量ラインの電位が互いに逆相とする反転駆動を行う補助容量ライン反転駆動回路と、
前記第１補助容量ラインと前記画素電極との間に接続された第１の補助容量と、
前記第２補助容量ラインと前記画素電極との間に接続された第２の補助容量と、
各画素に前記スイッチング素子を通して所望のビデオ信号を供給する水平駆動回路と、
モード切換信号に応じて第１のモードが選択された時に、前記補助容量ライン反転駆動回路を動作させ、前記モード切換信号に応じて第２のモードが選択された時に、前記補助容量ライン反転駆動回路を停止させると共に、前記第１及び第２の補助容量ラインに対して前記対向電極に印加される交流電位を印加させるように制御するモード制御回路とを備えることを特徴とするアクティブマトリクス型液晶表示装置。
【請求項２】
第１の信号ラインと、第２の信号ラインと、前記補助容量ライン反転駆動回路によって制御され、前記第１及び第２の信号ラインの電位を前記第１及び第２の補助容量ラインに伝達するスイッチとを備えることを特徴とする請求項１に記載のアクティブマトリクス型液晶表示装置。
【請求項３】
前記モード切換回路は、前記モード切換信号に応じて前記第１のモードが選択された時に、前記第１の信号ラインに第１の電位を印加すると共に、前記第２の信号ラインに第２の電位を印加し、
前記モード切換信号に応じて前記第２のモードが選択された時に、前記補助容量ライン反転駆動回路を停止させると共に、前記第１及び第２の信号ラインに前記対向電極に印加される前記交流電位を印加し、前記スイッチを通して、前記第１及び第２の補助容量ラインの電位を前記交流電位に設定することを特徴とする請求項２に記載のアクティブマトリクス型液晶表示装置。
【発明の詳細な説明】
【技術分野】
【０００１】
本発明は、アクティブマトリクス型液晶表示装置に関し、特に補助容量ラインの反転駆動機能を有したアクティブマトリクス型液晶表示装置に関する。
【背景技術】
【０００２】
従来、薄膜トランジスタ（ＴＦＴ：Thin Film Transistor）のようなスイッチング素子を介して、各画素の画素電極にビデオ信号を供給するアクティブマトリクス型液晶表示装置において、画素電極に対向する対向電極及び補助容量に交流電位を与える対極ＡＣ駆動を行うことにより、液晶の劣化を防止していた。
【０００３】
しかし、１水平期間ごとに各ドレインラインに与えるビデオ信号の極性を反転する対極ＡＣライン反転駆動では、１水平期間ごとに、対向電極及び補助容量ラインの電位の極性を反転させるため、対向電極及び全補助容量ラインにおける容量性の負荷及びこれらによる消費電力は大きかった。
【０００４】
そこで、低消費電力化を実現するため、対向電極の電位を一定にした状態で、補助容量ラインの電位の極性を一定周期で反転さることにより、ビデオ信号の正・負極性間の電位差を小さくして、水平駆動回路の消費電力を下げるという駆動方式（以下、「補助容量ライン反転駆動方式」、略して「ＳＣ反転駆動方式」と称する。）が特許文献１に開示されている。
【０００５】
また、そのようなＳＣ反転駆動において生じる容量結合及びそれに起因する画像のムラを防止するために、ゲートライン方向に隣り合う画素電極に対して極性が異なる電圧を印加し、図８のように、上下左右隣り合う画素全てに逆の極性の電圧を印加するドット反転駆動方式が特許文献２に開示されている。
【特許文献１】特開平１２−８１６０６号公報
【特許文献２】特開２００３−１５０１２７号公報
【発明の開示】
【発明が解決しようとする課題】
【０００６】
上述の対極ＡＣライン反転駆動方式とSC反転駆動方式との特性（例えば、消費電力）を一つのＬＣＤパネルで比較評価したいという要請がある。そこで、本発明は、対極ＡＣライン反転駆動方式とＳＣ反転駆動方式とが切換可能なアクティブマトリクス型液晶表示装置を提供することを目的とする。
【課題を解決するための手段】
【０００７】
本発明のアクティブマトリクス型液晶表示装置は、行列状に配置された複数の画素から成る表示領域と、前記複数の画素毎に配置された画素電極と、前記画素電極と対向電極の間に封入された液晶と、前記画素電極それぞれに接続され、ゲート信号に応じてスイッチングするスイッチング素子と、前記ゲート信号を垂直クロックに基づいて出力する垂直駆動回路と、各行の画素に対応して配置された第１及び第２の補助容量ラインと、所定の周期で第１及び第２の補助容量ラインの電位が互いに逆相とする反転駆動を行う補助容量ライン反転駆動回路と、前記第１補助容量ラインと前記画素電極との間に接続された第１の補助容量と、前記第２補助容量ラインと前記画素電極との間に接続された第２の補助容量と、各画素に前記スイッチング素子を通して所望のビデオ信号を供給する水平駆動回路と、モード切換信号に応じて第１のモードが選択された時に、前記補助容量ライン反転駆動回路を動作させ、前記モード切換信号に応じて第２のモードが選択された時に、前記補助容量ライン反転駆動回路を停止させると共に、前記第１及び第２の補助容量ラインに対して前記対向電極に印加される交流電位を印加させるように制御するモード制御回路とを備えることを特徴とするものである。
【発明の効果】
【０００８】
本発明によれば、対極ＡＣライン反転駆動方式とＳＣ反転駆動方式とが切換可能なアクティブマトリクス型液晶表示装置を提供することができる。
【発明を実施するための最良の形態】
【０００９】
次に、本発明の実施形態に係るアクティブマトリクス型液晶表示装置について図面を参照しながら説明する。図１は、このアクティブマトリクス型液晶表示装置の回路図である。
【００１０】
このアクティブマトリクス型液晶表示装置は、ガラス基板１００上に行列状に配置された複数の画素ＧＳ１１，ＧＳ１２，・・・からなる表示領域１０と、列方向に配列された各画素のスイッチングＴＦＴ１１のドレインに共通接続されたドレインライン２０−１，２０−２，・・・にビデオ信号を出力する水平駆動回路３０と、行方向に配列された各画素のスイッチングＴＦＴ１１のゲートに共通接続されたゲートライン４０−１，４０−２，・・・にゲート信号を出力する垂直駆動回路５０と、各行の画素に対応して行方向に延びる第１の補助容量ライン６１−１，６１−２，・・・及び第２の補助容量ライン６２−１，６２−２，・・・の電位が互いに逆相となるように駆動する補助容量ライン反転駆動回路７０（以下、「ＳＣ反転駆動回路」と略称する）と、ドレインライン２０−１，２０−２，・・・にプリチャージ信号を供給するプリチャージ回路８０とを備える。
【００１１】
さらに、対極ＡＣライン反転駆動方式とＳＣ反転駆動方式とを切換可能とするために、モード制御回路９０が設けられている。モード制御回路９０は、モード切換信号ＭＤをハイレベルに設定することにより第１のモード（補助容量ライン反転駆動モード）が選択された時に、ＳＣ反転駆動回路７０を動作させ、モード切換信号ＭＤをロウレベルに設定することにより第２のモード（対極ＡＣライン反転駆動）が選択された時に、ＳＣ反転駆動回路７０を停止させると共に、第１及び第２の補助容量ライン６１−１，６２−１，・・・に対して対向電極１３に印加される交流電位Ｖｃｏｍを印加させるように制御する。
【００１２】
以下、上記の各回路の構成について詳しく説明する。まず、表示領域１０において、第１行目については、赤色の画素ＧＳ１１、緑色の画素ＧＳ１２、青色の画素ＧＳ１３、赤色の画素ＧＳ１４、というように、赤、緑、青の順番に配置され、この配列が行方向に繰り返されている。同様に、第２行目についても、赤色の画素ＧＳ２１、緑色の画素ＧＳ２２、青色の画素ＧＳ２３、赤色の画素ＧＳ２４、というように、赤、緑、青の順番に配置され、この配列が行方向に繰り返されている。
【００１３】
１つの画素、例えば、画素ＧＳ１１内には、ゲートライン４０−１がゲートに接続されたスイッチングＴＦＴ１１、スイッチングＴＦＴ１１のソースに接続された画素電極１２、画素電極１２と対向電極１３の間に封入された液晶１４、画素電極１２と第１の補助容量ライン６１−１との間に接続された第１の補助容量１５が設けられている。また、画素ＧＳ１１に隣接する画素ＧＳ１２についても同様であるが、画素電極１２と第２の補助容量ライン６２−１との間に第２の補助容量１６が設けられている。
【００１４】
そして、画素ＧＳ１２に隣接する画素ＧＳ１３については、画素電極１２と第１の補助容量ライン６１−１との間に第１の補助容量１５が設けられている。即ち、ドット反転駆動を可能とするために、各画素内の補助容量は、第１の補助容量ライン６１−１と第２の補助容量ライン６２−１に交互に接続されている。
【００１５】
水平駆動回路３０は、外部から入力されるビデオ信号を出力する信号線Ｓ１，Ｓ２，・・・と、これらの信号線Ｓ１，Ｓ２，・・・からのビデオ信号をドレインライン２０−１，２０−２，・・・に選択的に出力するための第１のビデオスイッチ３１、第２のビデオスイッチ３２、第３のビデオスイッチ３３とを備えている。
【００１６】
例えば、赤色ビデオ信号イネーブル信号ＲＥＮＢがハイレベルになると、第１のビデオスイッチ３１がオンとなり、それに同期して信号線Ｓ１，Ｓ２，・・・から赤色のビデオ信号がドレインライン２０−１に出力される。次に、緑色ビデオ信号イネーブル信号ＧＥＮＢがハイになると、第２のビデオスイッチ３２がオンとなり、それに同期して信号線Ｓ１，Ｓ２，・・・から緑色のビデオ信号がドレインライン２０−２に出力される。次に、青色ビデオ信号イネーブル信号ＢＥＮＢがハイレベルになると、第３のビデオスイッチ３３がオンとなり、それに同期して信号線Ｓ１，Ｓ２，・・・から青色のビデオ信号がドレインライン２０−３に出力される。
【００１７】
ここで、水平駆動回路３０は、ＳＣ反転駆動表示領域制御信号ＥＮＢＳＣに応じて、複数の画素で構成される表示領域１０の中から選択された表示領域の各画素にビデオ信号を供給する。ここで、アクティブマトリクス型液晶表示装置の表示には、図２に示すような表示領域１０の全体に対して表示を行う通常表示（図２（ａ））と、パーシャル表示領域１０Ｐに対してのみ表示を行うパーシャル表示（図２（ｂ））があるが、ＳＣ反転駆動表示領域制御信号は、ＳＣ反転駆動を行う表示領域の指定を行う制御信号であり、外部入力を受けた駆動ＩＣ（不図示）から供給される信号である。即ち、ＳＣ反転駆動表示領域制御信号ＥＮＢＳＣがロウレベルの期間がパーシャル表示領域に対応し、ＳＣ反転駆動表示領域制御信号ＥＮＢＳＣがハイレベルの期間が背景表示領域に対応する。
【００１８】
垂直駆動回路５０は、ゲートライン４０−１，４０−２，・・・に順次ゲート信号ＧＬ１，ＧＬ２，・・・を出力する回路である。この垂直駆動回路５０は、直列に接続された複数のシフトレジスタユニットＳ／Ｒ１，Ｓ／Ｒ２，Ｓ／Ｒ３，・・・からなるシフトレジスタを備えている。このシフトレジスタは、１段目の第１のシフトレジスタユニットＳ／Ｒ１に入力される垂直スタート信号ＳＴＶを垂直クロックＣＫＶ１，ＣＫＶ２（ＣＫＶ２はＣＫＶ１の反転クロック）に基づいて順次シフトする。そして、第１のシフトレジスタユニットＳ／Ｒ１の出力、第２のシフトレジスタユニットＳ／Ｒ２の出力及び出力イネーブル信号ＥＮＢが入力された第１のアンド回路５１を備え、この第１のアンド回路５１から第１行目のゲートライン４０−１に第１のゲート信号ＧＬ１が出力される。
【００１９】
また、第２のシフトレジスタユニットＳ／Ｒ２の出力、第３のシフトレジスタユニットＳ／Ｒ３の出力及び出力イネーブル信号ＥＮＢが入力された第２のアンド回路５２を備え、この第２のアンド回路５２から第２行目のゲートライン４０−２に第２のゲート信号ＧＬ２が出力される。出力イネーブル信号ＥＮＢは垂直クロックＣＫＶ１の半周期毎にロウレベルに立ち下がるクロックであり、隣接するゲートラインに出力されるゲート信号、例えば、ＧＬ１とＧＬ２との重なりを防止し、それらの信号の相互干渉を無くすための信号である。
【００２０】
モード制御回路９０は、第１の制御回路９１と第２の制御回路９４を備えている。第１の制御回路９１は、モード切換信号ＭＤがハイレベルに設定されることにより第１のモード（補助容量ライン反転駆動モード）が選択された時に、列方向に延びた第１の信号ライン９２にハイレベルの電位ＶＳＣＨを出力し、第１の信号ライン９２と平行に延びる第２の信号ライン９３にロウレベルの電位ＶＳＣＬ（接地電位）を出力する。また、第１の制御回路９１は、モード切換信号ＭＤがロウレベルに設定されることにより第２のモード（対極ＡＣライン反転駆動モード）が選択された時には、第１の信号ライン９２と第２の信号ライン９３の両方に対向電極１３に印加される交流電位Ｖｃｏｍを出力する。第１の制御回路９１は、図９（ａ）に示すように、４つのトランスファゲートＴＧ１，ＴＧ２，ＴＧ３，ＴＧ４によって構成することができる。
【００２１】
第２の制御回路９４は、モード切換信号ＭＤがハイレベルに設定されることにより第１のモード（補助容量ライン反転駆動モード）が選択された時に、列方向に延びた第３の信号ライン９５にＳＣ反転駆動表示領域制御信号ＥＮＢＳＣを出力し、モード切換信号ＭＤがロウレベルに設定されることにより第２のモード（対極ＡＣライン反転駆動モード）が選択された時には、第３の信号ライン９５にＳＣライン反転停止信号を出力する。第２の制御回路９４は、図９（ｂ）に示すように、２つのトランスファゲートＴＧ５，ＴＧ６によって構成することができる。
【００２２】
ＳＣ反転駆動回路７０は、各行に対応して設けられたＳＣ反転制御ユニット７１，７２，・・・を備えており、ＳＣ反転制御ユニット７１，７２，・・・はそれぞれ対応する各行の第１及び第２の補助容量ライン（６１−１，６２−１）、（６１−２，６２−２），・・・の電位を反転するための反転制御信号ＳＣ１，ＳＣ２，・・・をそれぞれ出力する。そして、これらの反転制御信号ＳＣ１，ＳＣ２，・・・は各行に対応して設けられたスイッチＳＷ１，ＳＷ２，・・・のスイッチングをそれぞれ制御する。
【００２３】
第１行に対応するＳＣ反転制御ユニット７１は、１フレーム周期で反転を繰り返すＳＣ反転基準信号ＣＫＶＳＣ、前記第２の制御回路９４から第３の信号ライン９５に出力される信号及び、第２行に対応するゲート信号である、第２のゲート信号ＧＬ２に基づいて、反転制御信号ＳＣ１を出力する。また、第２行に対応するＳＣ反転制御ユニット７２は、１フレーム周期で反転を繰り返すＳＣ反転基準信号ＣＫＶＳＣ、前記第２の制御回路９４から第３の信号ライン９５に出力される信号及び、第３行に対応するゲート信号である、第３のゲート信号ＧＬ３に基づいて、反転制御信号ＳＣ２を出力する。他の行に対応するＳＣ反転制御ユニットについても同様の構成である。
【００２４】
モード切換信号ＭＤがハイレベルに設定されることにより第１のモード（ＳＣライン反転駆動モード）が選択された場合、第２の制御回路９４から第３の信号ライン９５を介してＳＣ反転駆動表示領域制御信号ＥＮＢＳＣがＳＣ反転制御ユニット７１，７２に入力される。すると、反転制御信号ＳＣ１は、第２のゲート信号ＧＬ２の立ち上がりに同期して１フレーム周期で反転を繰り返す。反転制御信号ＳＣ２は、第３のゲート信号ＧＬ３の立ち上がりに同期して１フレーム周期で反転を繰り返す。
【００２５】
また、第１及び第２の信号ライン９２，９３と、１行目の第１及び第２の補助容量ライン６１−１，６２−１の間には電位伝達用のスイッチＳＷ１が設けられており、第１及び第２の信号ライン９２，９３と、２行目の第１及び第２の補助容量ライン６１−２，６２−２の間には電位伝達用のスイッチＳＷ２が設けられている。例えば、反転制御信号ＳＣ１がハイレベルに変化すると、スイッチＳＷ１を通して、第１の補助容量ライン６１−１の電位はロウレベルの電位ＶＳＣＬに遷移し、第２の補助容量ライン６２−１の電位はハイレベルの電位ＶＳＣＨに遷移し、反転制御信号ＳＣ１がロウレベルに変化すると、スイッチＳＷ１を通して、第１の補助容量ライン６１−１の電位は逆にハイレベルの電位ＶＳＣＨに反転し、第２の補助容量ライン６２−１の電位はロウレベルの電位ＶＳＣＬに反転する。
【００２６】
また、ＳＣ反転駆動表示領域制御信号ＥＮＢＳＣに応じて、表示領域１０の中から選択されたパーシャル表示領域に対してのみ、ＳＣ反転駆動回路７０の反転駆動を行い、背景表示領域に対しては反転駆動を停止することで、消費電力を低減できる。即ち、ＳＣ反転駆動回路７０の反転駆動は、ＳＣ反転駆動表示領域制御信号ＥＮＢＳＣがロウレベルであるパーシャル表示領域に対してのみ行われる。そして、ＳＣ反転駆動回路７０の反転駆動は、ＳＣ反転駆動表示領域制御信号ＥＮＢＳＣがハイレベルである背景表示領域に対しては停止される。ＳＣ反転駆動回路７０の反転駆動が停止されるときは、背景表示領域に対応する反転制御信号ＳＣ１，ＳＣ２は一定に固定され、これにより、背景表示領域に対応する第１の補助容量ライン６１−１，６２−１，・・・及び第２の補助容量ライン６２−１，６２−２，・・・はロウレベルの電位ＶＳＣＬ又はハイレベルの電位ＶＳＣＨに保たれる。
【００２７】
一方、モード切換信号ＭＤがロウレベルに設定されることにより第２のモード（対極ＡＣライン反転駆動モード）が選択された場合、第２の制御回路９４から第３の信号ライン９５を介してＳＣライン反転停止信号がＳＣ反転制御ユニット７１，７２，・・・に入力される。すると、ＳＣ反転制御ユニット７１，７２は動作を停止し、反転制御信号ＳＣ１，ＳＣ２，・・の電位も固定され、スイッチＳＷ１，ＳＷ２のスイッチング状態も固定される。この第２のモードでは前述のように、第１及び第２の信号ライン９２，９３にはいずれも対向電極１３に印加される交流電位Ｖｃｏｍが印加される。したがって、第１の補助容量ライン６１−１，６２−１，・・・及び第２の補助容量ライン６２−１，６２−２には、スイッチＳＷ１，ＳＷ２を通して、交流電位Ｖｃｏｍが印加されることになる。これにより、第２のモードにおいて対極ＡＣライン反転駆動が可能になる。
【００２８】
プリチャージ回路８０は、プリチャージ制御信号ＤＳＧに応じて、プリチャージ信号ＤＳＤをドレインライン２０−１，２０−２，２０−３、・・・に出力するプリチャージスイッチ８１−１，８１−２，８１−３，・・・を備えている。これらのプリチャージスイッチ８１−１，８１−２，８１−３，・・・は、水平駆動回路３０からのビデオ信号が画素へ書き込まれる前に、オンする。すると、ドレインライン２０−１，２０−２，２０−３，・・・はプリチャージ信号ＤＳＤのレベルに設定される。このプリチャージ信号ＤＳＤを背景表示信号として利用し、この信号を背景表示領域の各画素にスイッチングＴＦＴ１１を通して書き込むようにした。
【００２９】
次に、上述した構成のアクティブマトリクス型液晶表示装置の動作について詳細に説明する。まず、第１のモード（ＳＣ反転駆動）が選択された場合の動作について説明する。ＳＣ反転駆動は、図２に示すような表示領域１０の全体に対して通常表示を行う場合（図２（ａ））と、パーシャル表示領域１０Ｐに対してのみ、パーシャル表示を行う場合（図２（ｂ））に行われる。
【００３０】
図３は、水平走査系のタイミング図であり、画素へのプリチャージ信号及びビデオ信号の書き込みを説明する図である。図４、図５は垂直走査系のタイミング図であり、さらに詳しくは、図４は垂直駆動回路５０、ＳＣ反転駆動回路７０への入力信号のタイミング図、図５は、垂直駆動回路５０、ＳＣ反転駆動回路７０の内部信号のタイミング図である。
【００３１】
ゲート信号ＧＬ１がハイレベルに立ち上がると、第１行の各画素のスイッチングＴＦＴ１１がオンし、水平同期信号Ｈｓｙｎｃに応じてプリチャージ制御信号ＤＳＧがパルス出力され、プリチャージ信号ＤＳＤがドレインライン２０−１，２０−２，２０−３，・・・に書き込まれる。その後、赤色ビデオ信号イネーブル信号ＲＥＮＢがパルス出力されると、第１のビデオスイッチ３１がオンし、信号線Ｓ１，Ｓ２，・・・から赤色のビデオ信号がドレインライン２０−１に出力され、スイッチングＴＦＴ１１を通して対応する赤色の画素ＧＳ１１に書き込まれる。
【００３２】
その後、緑色ビデオ信号イネーブル信号ＧＥＮＢがパルス出力されると、第２のビデオスイッチ３２がオンし、信号線Ｓ１，Ｓ２，・・・から緑色のビデオ信号がドレインライン２０−２に出力され、スイッチングＴＦＴ１１を通して対応する緑色の画素ＧＳ１２に書き込まれる。その後、青色ビデオ信号イネーブル信号ＢＥＮＢがパルス出力されると、第３のビデオスイッチ３３がオンし、信号線Ｓ１，Ｓ２，・・・から青色のビデオ信号がドレインライン２０−３に出力され、スイッチングＴＦＴ１１を通して対応する青色の画素ＧＳ１３に書き込まれる。
【００３３】
そして、ゲート信号ＧＬ１が立ち下がり、次のラインに対応するゲート信号ＧＬ２が立ち上がると、ＳＣ反転制御ユニット７１からの反転制御信号ＳＣ１がハイレベルに立ち上がり、それに応じて、スイッチＳＷ１によって、第１の補助容量ライン６１−１の電位はロウレベル（ＶＳＣＬ）に遷移し、第２の補助容量ライン６２−１の電位はハイレベル（ＶＳＣＨ）に遷移する。これにより、図６に示すように、画素ＧＳ１１の画素電極１２の電位は、対向電極１３の直流電位を基準として、第１の補助容量１５の容量結合により負極性方向に変化し、隣接する画素ＧＳ１２の電位は第２の補助容量１６の容量結合により正極性方向に変化する。ここで、ドット反転駆動においては、互いに隣接した画素ＧＳ１１と画素ＧＳ１２に対して水平駆動回路３０から供給されるビデオ信号の極性は逆となっている。
【００３４】
なお、上述の動作は第１行のラインに関するものであるが、第２行のラインについても同様である。ただし、図１に示すように、第１の補助容量ライン６１−２及び第２の補助容量ライン６２−２と各画素内の補助容量との接続は１行目と逆になる。尚、奇数ラインは１行目と同じ接続となり、偶数ラインは２行目と同じ接続となる。
【００３５】
このようなＳＣ反転駆動によれば、ビデオ信号のビデオ信号の正・負極性間の電位差を小さくして、水平駆動回路の消費電力を下げることができるが、ＳＣ反転駆動そのものは電力消費を伴うものである。そこで、パーシャル表示時において、背景表示領域１０Ｂに対してはＳＣ反転駆動を停止することにより、さらなる低消費電力化を実現している。そのようなＳＣ反転動作の停止について図７を参照しながら説明する。
【００３６】
本実施形態では、１フレーム期間の中、最初の８０水平期間、即ち、第１ライン〜第８０ラインに対応する表示領域をパーシャル表示領域１０Ｐとし、残りの２３９ラインに対応する表示領域を背景表示領域１０Ｂとして設定している。そして、パーシャル表示領域１０Ｐについては、ＳＣ反転駆動表示領域制御信号ＥＮＢＳＣはロウレベルに設定され、上述したＳＣ反転駆動が行われるが、背景表示領域１０Ｂについては、ＳＣ反転駆動表示領域制御信号ＥＮＢＳＣはハイレベルに固定され、この背景表示領域１０Ｂに対応したＳＣ反転駆動回路７０のＳＣ反転制御ユニット７１，７２，・・・はすべて動作を停止する。
【００３７】
このとき、背景表示領域１０Ｂの各画素には、水平駆動回路３０から背景表示信号を供給してもよいが、プリチャージ制御信号ＤＳＧをハイレベルに固定し、プリチャージ信号ＤＳＤを背景表示信号として供給することが好ましい。これにより、水平駆動回路３０の動作を停止することができ、さらに消費電力を低減することができる。なお、背景表示信号は対向電極１３の一定電位を基準として１Ｖ程度の低電圧の信号であり、ノーマリーホワイトの液晶表示装置では白表示となり、ノーマリーブラックの液晶表示装置では黒表示となる信号である。
【００３８】
また、背景表示領域１０Ｂに対する垂直クロックＣＫＶ１、ＣＫＶ２の周波数は、パーシャル表示領域１０Ｐに対する垂直クロックＣＫＶ１、ＣＫＶ２の周波数に比して高くすることが好ましい。背景表示領域１０Ｂは上述のように同色信号を書き込み続けるため、パーシャル表示領域１０Ｐのようにビデオ信号の立ち上がり時間等を考慮する必要がなく、高速な信号書き込みが可能だからである。これにより、フレームレートが従来と同じ場合、背景表示領域１０Ｂの表示動作を高速に行う分、パーシャル表示領域１０Ｐのビデオ信号の書き込み動作を低速に行うことができるので、さらに消費電力を低減できる。
【００３９】
また、背景表示領域１０Ｂに対しては、垂直駆動回路５０に入力される出力イネーブル信号ＥＮＢをハイレベルに固定して、さらなる低消費電力化を図ることができる。背景表示領域１０Ｂは上述のように同色信号を書き込み続けるため、隣接するゲートラインに出力されるゲート信号（例えばＧＬ１とＧＬ２）、ドレインラインに出力されるビデオ信号の相互干渉を考慮する必要がない。そのため、出力イネーブル信号ＥＮＢを一定レベルに固定し、さらに消費電力を低減することができる。
【００４０】
一方、第２のモード（対極ＡＣライン反転駆動）が選択された場合の動作について図１０を参照して説明する。対向電極１３には交流電位Ｖｃｏｍ（ＡＣ）が印加され、これと同じ交流電位Ｖｃｏｍが、第１の補助容量ライン６１−１，６２−１，・・・及び第２の補助容量ライン６２−１，６２−２，・・・に印加される。交流電位Ｖｃｏｍは、１水平期間の周期でロウレベルとハイレベルの間で反転を繰り返す信号である。ビデオ信号の書き込みは第１のモードと同様であるが、ビデオ信号の極性は、交流電位Ｖｃｏｍに応じて、１水平期間で反転を繰り返す。こうして、対極ＡＣライン反転駆動が可能になる。
【図面の簡単な説明】
【００４１】
【図１】本発明の実施形態にかかるアクティブマトリクス型液晶表示装置の回路図である。
【図２】本発明の実施形態にかかるアクティブマトリクス型液晶表示装置における表示モードを示す図である。
【図３】本発明の実施形態にかかるアクティブマトリクス型液晶表示装置における第１のモード（ＳＣ反転駆動）の動作タイミング図である。
【図４】本発明の実施形態にかかるアクティブマトリクス型液晶表示装置における垂直駆動回路５０、ＳＣ反転駆動回路への入力信号のタイミング図である。
【図５】本発明の実施形態にかかるアクティブマトリクス型液晶表示装置における垂直駆動回路５０、ＳＣ反転駆動回路の内部信号のタイミング図である。
【図６】本発明の実施形態にかかるアクティブマトリクス型液晶表示装置におけるＳＣ反転駆動による画素電位の変化を説明する図である。
【図７】本発明の実施形態にかかるアクティブマトリクス型液晶表示装置の第１のモード（ＳＣ反転駆動）の動作を説明するタイミング図である。
【図８】アクティブマトリクス型液晶表示装置のドット反転駆動を説明する図である。
【図９】第１の制御回路９１及び第２の制御回路９４の回路図である。
【図１０】本発明の実施形態にかかるアクティブマトリクス型液晶表示装置の第２のモード（対極ＡＣライン反転駆動）の動作タイミング図である。
【符号の説明】
【００４２】
１０  表示領域    １１  スイッチングＴＦＴ    １２  画素電極
１３  対向電極    １４  液晶    １５  第１の補助容量
１６  第２の補助容量
２０−１、２０−２、２０−３  ドレインライン
３０  水平駆動回路    ３１  第１のビデオスイッチ  ３２  第２のビデオスイッチ
３３  第３のビデオスイッチ    
４０−１、４０−２    ゲートライン  
５０  垂直駆動回路    ５１  第１のアンド回路    ５２  第２のアンド回路    
６１−１  第１の補助容量ライン    ６１−２  第２の補助容量ライン    
７０  ＳＣ反転駆動回路    ７１、７２  ＳＣ反転制御ユニット
８０  プリチャージ回路    ８１−１、８１−２、８１−３  プリチャージスイッチ
Ｓ／Ｒ１，Ｓ／Ｒ２，Ｓ／Ｒ３  シフトレジスタユニット
９０  モード制御回路    ９１  第１の制御回路    ９２  第１の信号ライン
９３  第２の信号ライン    ９４  第２の制御回路    ９５  第３の信号ライン
【図１】
2007140191.tif 000003
【図２】
2007140191.tif 000004
【図３】
2007140191.tif 000005
【図４】
2007140191.tif 000006
【図５】
2007140191.tif 000007
【図６】
2007140191.tif 000008
【図７】
2007140191.tif 000009
【図８】
2007140191.tif 000010
【図９】
2007140191.tif 000011
【図１０】
2007140191.tif 000012